(57)【要約】【課題】装置を大型化することなく運転効率を向上させることのできる物品収納庫を提供する。【解決手段】高圧側熱交換部５２において冷媒と熱交換した作動流体を第１の加熱器３７ａ及び第２の加熱器３７ｂに流通させる加熱回路６０と、低圧側熱交換部５４において冷媒と熱交換した作動流体を第１の冷却器３５ａ、第２の冷却器３５ｂ及び第３の冷却器３５ｃに流通させる冷却回路７０とを備えたので、第１の加熱器３７ａ及び第２の加熱器３７ｂの一方または両方において放熱することにより冷却された作動流体と冷媒とを熱交換させることにより、高圧側熱交換部５２における交換熱量を増加させるとともに、第１の冷却器３５ａ、第２の冷却器３５ｂ及び第３の冷却器３５ｃの一部または全てにおいて吸熱することにより加熱された作動流体と冷媒とを熱交換させることにより、低圧側熱交換部５４における交換熱量を増加させることが可能となる。【選択図】図６
2007232298.tif 000002
【特許請求の範囲】
【請求項１】
熱媒体を圧縮する圧縮機と、圧縮機から吐出された熱媒体を放熱させる高圧側熱交換部と、高圧側熱交換部において放熱した熱媒体を膨張させる膨張手段と、膨張手段によって膨張した熱媒体を吸熱させる低圧側熱交換部とを有する熱媒体回路と、物品を収納する物品収納部とを備えた物品収納庫であって、
前記物品収納部に設けられた加熱器と、
高圧側熱交換部において熱媒体と熱交換した加熱用作動流体を加熱器に流通させる加熱回路とを備えた
ことを特徴とする物品収納庫。
【請求項２】
熱媒体を圧縮する圧縮機と、圧縮機から吐出された熱媒体を放熱させる高圧側熱交換部と、高圧側熱交換部において放熱した熱媒体を膨張させる膨張手段と、膨張手段によって膨張した熱媒体を吸熱させる低圧側熱交換部とを有する熱媒体回路と、物品を収納する物品収納部とを備えた物品収納庫であって、
前記物品収納部に設けられた冷却器と、
低圧側熱交換部において熱媒体と熱交換した冷却用作動流体を冷却器に流通させる冷却回路とを備えた
ことを特徴とする物品収納庫。
【請求項３】
熱媒体を圧縮する圧縮機と、圧縮機から吐出された熱媒体を放熱させる高圧側熱交換部と、高圧側熱交換部において放熱した熱媒体を膨張させる膨張手段と、膨張手段によって膨張した熱媒体を吸熱させる低圧側熱交換部とを有する熱媒体回路と、物品を収納する複数の物品収納部とを備えた物品収納庫であって、
前記複数の物品収納部のうち、少なくとも１つの物品収納部に設けられた加熱器と、
複数の物品収納部のうち、少なくとも１つの物品収納部に設けられた冷却器と、
高圧側熱交換部において熱媒体と熱交換した加熱用作動流体を加熱器に流通させる加熱回路と、
低圧側熱交換部において熱媒体と熱交換した冷却用作動流体を冷却器に流通させる冷却回路とを備えた
ことを特徴とする物品収納庫。
【請求項４】
前記物品収納部外に設けられ、加熱回路を流通する加熱用作動流体を放熱させる放熱器を備えた
ことを特徴とする請求項３記載の物品収納庫。
【請求項５】
前記物品収納部外に設けられ、冷却回路を流通する冷却用作動流体を吸熱させる吸熱器を備えた
ことを特徴とする請求項３記載の物品収納庫。
【請求項６】
前記熱媒体回路を有する熱源ユニットを加熱回路及び冷却回路に対して着脱自在に構成した
ことを特徴とする請求項３、４または５記載の物品収納庫。
【請求項７】
前記冷却用作動流体として、凝固温度が−２０℃以下の不凍液を用いた
ことを特徴とする請求項２、３、４、５または６記載の物品収納庫。
【発明の詳細な説明】
【技術分野】
【０００１】
本発明は、物品が収納される物品収納部を冷却または加熱することのできる物品収納庫に関するものである。
【背景技術】
【０００２】
従来、この種の物品収納庫としては、熱媒体を圧縮する圧縮機と、圧縮機から吐出された熱媒体を放熱させる放熱部と、高圧側熱交換部において放熱させた熱媒体を膨張させる膨張手段と、膨張手段によって膨張させた熱媒体を吸熱させる吸熱部とを有する熱媒体回路と、物品を収納する物品収納部とを備え、放熱部を流通する熱媒体と物品収納部の空気を熱交換することにより物品収納部を加熱し、吸熱部を流通する熱媒体と物品収納部の空気を熱交換することにより物品収納部を冷却するようにしたものが知られている（例えば、特許文献１参照）。
【特許文献１】特開２００５−１０６４０４号公報
【発明の開示】
【発明が解決しようとする課題】
【０００３】
一般に、物品収納庫の運転効率を向上させるためには、放熱部及び吸熱部における交換熱量を増加させる必要がある。しかし、従来の物品収納庫では、放熱部及び吸熱部においてそれぞれ熱媒体と物品収納部の空気とを熱交換させているため、熱媒体の温度と物品収納部の空気の温度との温度差を大きくすることはできない。このため、放熱部及び蒸発部における交換熱量を増加させるためには、放熱部及び吸熱部として大型の熱交換器を用いる必要があった。
【０００４】
本発明の目的とするところは、装置を大型化することなく運転効率を向上させることのできる物品収納庫を提供することにある。
【課題を解決するための手段】
【０００５】
本発明は前記目的を達成するために、熱媒体を圧縮する圧縮機と、圧縮機から吐出された熱媒体を放熱させる高圧側熱交換部と、高圧側熱交換部において放熱した熱媒体を膨張させる膨張手段と、膨張手段によって膨張した熱媒体を吸熱させる低圧側熱交換部とを有する熱媒体回路と、物品を収納する物品収納部とを備えた物品収納庫であって、前記物品収納部に設けられた加熱器と、高圧側熱交換部において熱媒体と熱交換した加熱用作動流体を加熱器に流通させる加熱回路とを備えている。
【０００６】
これにより、冷媒回路を流通する熱媒体が高圧側熱交換部において加熱回路を流通する加熱用作動流体と熱交換されることから、加熱器において放熱することにより冷却された加熱回路の加熱用作動流体と冷媒回路の熱媒体とが熱交換することにより、高圧側熱交換部における交換熱量を増加させることが可能となる。
【０００７】
また、熱媒体を圧縮する圧縮機と、圧縮機から吐出された熱媒体を放熱させる高圧側熱交換部と、高圧側熱交換部において放熱した熱媒体を膨張させる膨張手段と、膨張手段によって膨張した熱媒体を吸熱させる低圧側熱交換部とを有する熱媒体回路と、物品を収納する物品収納部とを備えた物品収納庫であって、前記物品収納部に設けられた冷却器と、低圧側熱交換部において熱媒体と熱交換した冷却用作動流体を冷却器に流通させる冷却回路とを備えている。
【０００８】
これにより冷媒回路を流通する熱媒体が低圧側熱交換部において冷却回路を流通する冷却用作動流体と熱交換されることから、冷却器において吸熱することにより加熱された冷却回路の冷却用作動流体と冷媒回路の熱媒体とが熱交換することにより、低圧側熱交換部における交換熱量を増加させることが可能となる。
【０００９】
また、熱媒体を圧縮する圧縮機と、圧縮機から吐出された熱媒体を放熱させる高圧側熱交換部と、高圧側熱交換部において放熱した熱媒体を膨張させる膨張手段と、膨張手段によって膨張した熱媒体を吸熱させる低圧側熱交換部とを有する熱媒体回路と、物品を収納する複数の物品収納部とを備えた物品収納庫であって、前記複数の物品収納部のうち、少なくとも１つの物品収納部に設けられた加熱器と、複数の物品収納部のうち、少なくとも１つの物品収納部に設けられた冷却器と、高圧側熱交換部において熱媒体と熱交換した加熱用作動流体を加熱器に流通させる加熱回路と、低圧側熱交換部において熱媒体と熱交換した冷却用作動流体を冷却器に流通させる冷却回路とを備えている。
【００１０】
これにより、冷媒回路を流通する熱媒体が、高圧側熱交換部において加熱回路を流通する加熱用作動流体と熱交換されるとともに、低圧側熱交換部において冷却回路を流通する冷却用作動流体と熱交換されることから、加熱器において放熱することにより冷却された加熱回路の加熱用作動流体と冷媒回路の熱媒体とが熱交換することにより、高圧側熱交換部における交換熱量を増加させることが可能となるとともに、冷却器において吸熱することにより加熱された冷却回路の冷却用作動流体と冷媒回路の熱媒体とが熱交換することにより、低圧側熱交換部における交換熱量を増加させることが可能となる。
【発明の効果】
【００１１】
本発明によれば、加熱器において放熱することにより冷却された加熱回路の加熱用作動流体と冷媒回路の熱媒体とを熱交換することにより、高圧側熱交換部における交換熱量を増加させるとともに、冷却器において吸熱することにより加熱された冷却回路の冷却用作動流体と冷媒回路の熱媒体とを熱交換することにより、低圧側熱交換部における交換熱量を増加させることができるので、冷媒回路の運転効率の向上が可能となる。また、冷媒回路を、物品収納部に設けることなく、物品収納部外に構成することができるので、冷媒回路の配管長を短くすることが可能となるとともに、冷媒回路の簡素化を図ることができ、製造コストの低減を図ることが可能となる。
【発明を実施するための最良の形態】
【００１２】
図１乃至図１０は本発明の物品収納庫の一実施形態として、物品として缶、ペットボトル等の容器に入った飲料を冷却または加熱して販売する自動販売機を示すもので、図１は自動販売機の全体斜視図、図２は自動販売機の正面断面図、図３は自動販売機の側面断面図、図４は冷媒回路、加熱回路及び冷却回路を示す自動販売機の概略構成図、図５乃至図９は冷媒及び作動流体の流路を示す自動販売機の概略構成図、図１０は熱源ユニットを取外した状態を示す自動販売機の概略構成図である。
【００１３】
この自動販売機は、前面を開口した自動販売機本体１０と、自動販売機本体１０の前面を開閉する外扉２０とを備えている。
【００１４】
自動販売機本体１０は、内部を上下に仕切ることにより、上部に物品収納部としての商品収納部３０が設けられ、下部に機械室４０が設けられている。
【００１５】
外扉２０は、前面に商品サンプル２１、商品選択スイッチ２２、硬貨投入口２３、紙幣投入口２４、返却レバー２５、硬貨返却口２６及び商品取出口２７を備え、外扉２０の幅方向一端側が自動販売機本体１０に回動自在に支持されている。
【００１６】
商品収納部３０は、上面側、背面側、底面側及び左右両側面側が断熱壁３１によって形成され、商品収納部３０の前面側は、断熱性の内扉３２によって開閉されるようになっている。また、商品収納部３０は、断熱性の仕切板３３によって左右に仕切ることにより、第１の収納部３０ａ、第２の収納部３０ｂ及び第３の収納部３０ｃが設けられている。第１の収納部３０ａ、第２の収納部３０ｂ及び第３の収納部３０ｃには、商品を上下方向に積み重ねて収納し、下端側から商品を１つずつ搬出可能な複数の商品収納コラム３４がそれぞれ設けられている。また、第１の収納部３０ａ、第２の収納部３０ｂ及び第３の収納部３０ｃには、それぞれ第１の収納部３０ａ、第２の収納部３０ｂ及び第３の収納部３０ｃを冷却するための第１の冷却器３５ａ、第２の冷却器３５ｂ及び第３の冷却器３５ｃと、第１の冷却器３５ａ、第２の冷却器３５ｂ及び第３の冷却器３５ｃにそれぞれ空気を流通させるための第１の冷却器用送風機３６ａ、第２の冷却器用送風機３６ｂ及び第３の冷却器用送風機３６ｃとが設けられている。更に、第１の収納部３０ａ及び第２の収納部３０ｂには、それぞれ第１の収納部３０ａ及び第２の収納部３０ｂを加熱するための第１の加熱器３７ａ及び第２の加熱器３７ｂと、第１の加熱器３７ａ及び第２の加熱器３７ｂにそれぞれ空気を流通させるための第１の加熱器用送風機３８ａ及び第２の加熱器用送風機３８ｂとが設けられている。従って、第１の収納部３０ａ及び第２の収納部３０ｂは、商品の冷却及び加熱の切換えが可能となっており、第３の収納部３０ｃは、商品の冷却のみを行うようになっている。
【００１７】
機械室４０は、自動販売機本体１０外の空気が内部を流通するように吸気口及び排気口が設けられている。機械室４０には、第１の収納部３０ａ、第２の収納部３０ｂ及び第３の収納部３０ｃをそれぞれ冷却または加熱するための熱を発生させる熱源ユニット５０と、第１の収納部３０ａ及び第２の収納部３０ｂを加熱する際に必要な熱量を機械室４０を流通する空気から吸収するための吸熱器４１と、吸熱器４１に空気を流通させるための吸熱器用送風機４２と、第１の収納部３０ａ、第２の収納部３０ｂ及び第３の収納部３０ｃを冷却する際に生じる不必要な排熱を機械室４０を流通する空気に放出するための放熱器４３と、放熱器４３に空気を流通させるための放熱器用送風機４４と、第１の冷却器３５ａ、第２の冷却器３５ｂ、第３の冷却器３５ｃ及び吸熱器４１に冷却用作動流体としての作動流体を流通させるための冷却ポンプ４５と、第１の加熱器３７ａ、第２の加熱器３７ｂ及び放熱器４３に加熱用作動流体としての作動流体を流通させるための加熱ポンプ４６とが設けられている。
【００１８】
熱源ユニット５０は、熱媒体としての冷媒を圧縮するための圧縮機５１と、圧縮機５１から吐出された冷媒を放熱させるための高圧側熱交換部５２と、高圧側熱交換部５２において放熱した冷媒を減圧するための電子膨張弁等の膨張手段としての膨張弁５３と、膨張弁５３において減圧した冷媒を蒸発させるための低圧側熱交換部５４と、高圧側熱交換部５２から流出した冷媒と低圧側熱交換部５４から流出した冷媒とを熱交換させる内部熱交換器５５とを備え、これらを銅管やステンレス管等の冷媒流通用の配管によって接続することにより冷媒回路５０ａが構成されている。即ち、圧縮機５１の冷媒吐出側には、高圧側熱交換部５２の冷媒流入側が接続され、高圧側熱交換部５２の冷媒流出側には、内部熱交換器５５の高圧冷媒流入側が接続されている。また、内部熱交換器５５の高圧冷媒流出側には、膨張弁５３を介して低圧側熱交換部５４の冷媒流入側が接続され、低圧側熱交換部５４の冷媒流出側には、内部熱交換器５５の低圧冷媒流入側が接続されている。更に、内部熱交換器５５の低圧冷媒流出側には、圧縮機５１の冷媒吸入側が接続されている。また、冷媒回路５０ａを流通する冷媒としては、二酸化炭素が用いられる。
【００１９】
圧縮機５１は、低段側圧縮部と高段側圧縮部を有し、吸入した冷媒を低段側圧縮部において圧縮し、更に高段側圧縮部において圧縮して吐出する二段圧縮機である。二段圧縮機は、冷媒を二段階に圧縮することにより、冷媒を高圧に圧縮することが可能なものであり、二酸化炭素等の高圧側の圧力が高圧となる冷媒を圧縮するために用いられる。
【００２０】
高圧側熱交換部５２及び低圧側熱交換部５４は、例えば二重管式の熱交換器からなり、高圧側熱交換部５２には冷媒回路５０ａ及び加熱回路６０が接続され、低圧側熱交換部５４には冷媒回路５０ａ及び冷却回路７０が接続されている。
【００２１】
内部熱交換器５５は、例えば二重管式の熱交換器からなり、高圧側熱交換部５２から流出した冷媒と低圧側熱交換部５４から流出した冷媒とを熱交換させることにより、高圧側熱交換部５２から流出した冷媒を冷却して低圧側熱交換部５４における熱交換量を増加させるようになっている。
【００２２】
加熱回路６０は、第１の加熱器３７ａ、第２の加熱器３７ｂ、放熱器４３、加熱ポンプ４６及び高圧側熱交換部５２とを備え、これらは銅管やステンレス管等の配管によって接続されている。即ち、加熱ポンプ４６の吐出側には、第１の加熱器３７ａ、第２の加熱器３７ｂ及び放熱器４３の流入側がそれぞれ並列に接続され、加熱ポンプ４６の吐出側と第１の加熱器３７ａ、第２の加熱器３７ｂ及び放熱器４３の流入側との間には、第１の加熱器３７ａ、第２の加熱器３７ｂ及び放熱器４３に流入する作動流体の流路をそれぞれ開閉するとともに、作動流体の流量をそれぞれ調整可能な二方弁６１，６２，６３が設けられている。また、第１の加熱器３７ａ、第２の加熱器３７ｂ及び放熱器４３の流出側には、高圧側熱交換部５２の作動流体流入側が接続され、高圧側熱交換部５２の作動流体流出側には、加熱ポンプ４６の吸入側が接続されている。また、高圧側熱交換部５２の作動流体流入側及び作動流体流出側には、それぞれカップリング継手等の接続部６４が設けられ、接続部６４によって加熱回路６０が高圧側熱交換部５２に着脱自在に接続されている。加熱回路６０を流通する作動流体としては、水が用いられる。
【００２３】
冷却回路７０は、第１の冷却器３５ａ、第２の冷却器３５ｂ、第３の冷却器３５ｃ、吸熱器４１、冷却ポンプ４５及び低圧側熱交換部５４とを備え、これらは銅管やステンレス管等の配管によって接続されている。即ち、冷却ポンプ４５の吐出側には、第１の冷却器３５ａ、第２の冷却器３５ｂ、第３の冷却器３５ｃ及び吸熱器４１の流入側がそれぞれ並列に接続され、冷却ポンプ４５の吐出側と第１の冷却器３５ａ、第２の冷却器３５ｂ、第３の冷却器３５ｃ及び吸熱器４１の流入側との間には、第１の冷却器３５ａ、第２の冷却器３５ｂ、第３の冷却器３５ｃ及び吸熱器４１に流入する作動流体の流路をそれぞれ開閉するとともに、作動流体の流量を調整可能な二方弁７１，７２，７３，７４が設けられている。また、第１の冷却器３５ａ、第２の冷却器３５ｂ、第３の冷却器３５ｃ及び吸熱器４１の流出側には、低圧側熱交換部５４の作動流体流入側が接続され、低圧側熱交換部５４の作動流体流出側には、冷却ポンプ４５の吸入側が接続されている。また、低圧側熱交換部５４の作動流体流入側及び作動流体流出側には、それぞれカップリング継手等の接続部７５が設けられ、接続部７５によって冷却回路７０が低圧側熱交換部５４に着脱自在に接続されている。冷却回路７０を流通する作動流体としては、凝固温度が−２０℃以下のエチレングリコールや塩化カルシウム等の水溶液からなるブラインが用いられる。
【００２４】
以上のように構成された物品収納庫において、熱源ユニット５０の圧縮機５１から吐出された冷媒は、高圧側熱交換部５２において放熱することにより加熱回路６０を流通する作動流体を加熱し、内部熱交換器５５において低圧側熱交換部５４から流出する冷媒と熱交換することにより冷却される。内部熱交換器５５において冷却された冷媒は、膨張弁５３を通過することによって減圧され、低圧側熱交換部５４において吸熱することにより冷却回路７０を流通する作動流体を冷却する。低圧側熱交換部５４において吸熱した冷媒は、内部熱交換器５５において高圧側熱交換部５２から流出する冷媒と熱交換することにより加熱され、圧縮機５１に吸入される。
【００２５】
ここで、第１の収納部３０ａ、第２の収納部３０ｂ及び第３の収納部３０ｃを全て冷却用とする場合を、図５の冷媒回路５０ａ、加熱回路６０及び冷却回路７０それぞれの流路を示す概略構成図を用いて説明する。まず、冷却回路７０の二方弁７１，７２，７３を開放して二方弁７３を閉鎖し、加熱回路６０の二方弁６３を開放して二方弁６１，６２を閉鎖する。加熱回路６０を流通する作動流体は、高圧側熱交換部５２において吸熱して加熱され、放熱器４３において放熱器用送風機４４によって機械室４０に流入する空気と熱交換することにより放熱して冷却される。また、冷却回路７０を流通する作動流体は、低圧側熱交換部５４において放熱して冷却され、第１の冷却器３５ａ、第２の冷却器３５ｂ及び第３の冷却器３５ｃにおいてそれぞれ第１の冷却器用送風機３６ａ、第２の冷却器用送風機３６ｂ及び第３の冷却器用送風機３６ｃによって第１の収納部３０ａ、第２の収納部３０ｂ及び第３の収納部３０ｃの空気と熱交換することにより吸熱して加熱される。これにより、第１の収納部３０ａ、第２の収納部３０ｂ及び第３の収納部３０ｃは、それぞれ冷却回路７０の第１の冷却器３５ａ、第２の冷却器３５ｂ及び第３の冷却器３５ｃを流通する作動流体によって冷却される。また、冷却回路７０を流通する作動流体が吸収した熱は、熱源ユニット５０の冷媒回路５０ａを介して加熱回路６０の放熱器４３から放熱器用送風機４４によって機械室４０を流通する空気中に放出される。
【００２６】
次に、第１の収納部３０ａ及び第２の収納部３０ｂを加熱用とし、第３の収納部３０ｃを冷却用とする場合を、図６の冷媒回路５０ａ、加熱回路６０及び冷却回路７０それぞれの流路を示す概略構成図を用いて説明する。まず、冷却回路７０の二方弁７３を開放して二方弁７１，７２，７４を閉鎖し、加熱回路６０の二方弁６１，６２を開放して二方弁６３を閉鎖する。加熱回路６０を流通する作動流体は、高圧側熱交換部５２において吸熱して加熱され、第１の加熱器３７ａ及び第２の加熱器３７ｂにおいてそれぞれ第１の加熱器用送風機３８ａ及び第２の加熱器用送風機３８ｂによって第１の収納部３０ａ及び第２の収納部３０ｂの空気と熱交換することにより放熱して冷却される。また、冷却回路７０を流通する作動流体は、低圧側熱交換部５４において放熱して冷却され、第３の冷却器３５ｃにおいて第３の冷却器用送風機３６ｃによって第３の収納部３０ｃの空気と熱交換することにより吸熱して加熱される。これにより、第３の収納部３０ｃは、冷却回路７０の第３の冷却器３５ｃを流通する作動流体によって冷却される。また、冷却回路７０を流通する作動流体が吸収した熱は、熱源ユニット５０の冷媒回路５０ａを介して加熱回路６０の第１の加熱器３７ａ及び第２の加熱器３７ｂからそれぞれ第１の収納部３０ａ及び第２の収納部３０ｂの空気中に放出され、第１の収納部３０ａ及び第２の収納部３０ｂが加熱される。このとき、第３の冷却器３５ｃにおいて吸収する熱量が第１の加熱器３７ａ及び第２の加熱器３７ｂにおいて放出する熱量よりも小さく、第１の収納部３０ａ及び第２の収納部３０ｂを加熱するための熱量が不足する場合には、冷却回路７０の二方弁７４を開放して作動流体を吸熱器４１に流通させる。冷却回路７１を流通する作動流体は、図７に示すように、第３の冷却器３５ｃにおいて第３の収納部３０ｃの空気と熱交換するとともに、吸熱器４１において機械室４０を流通する空気と熱交換して吸熱する。これにより、第１の収納部３０ａ及び第２の収納部３０ｂの加熱の際に不足する熱量は、吸熱器４１において機械室４０を流通する空気から吸収することが可能となる。
【００２７】
また、第１の収納部３０ａを加熱用とし、第２の収納部３０ｂ及び第３の収納部３０ｃを冷却用とする場合を、図８の冷媒回路５０ａ、加熱回路６０及び冷却回路７０それぞれの流路を示す概略構成図を用いて説明する。まず、冷却回路７０の二方弁７２，７３を開放して二方弁７１，７４を閉鎖し、加熱回路６０の二方弁６１を開放して二方弁６２，６３を閉鎖する。加熱回路６０を流通する作動流体は、高圧側熱交換部５２において吸熱して加熱され、第１の加熱器３７ａにおいて第１の加熱器用送風機３８ａによって第１の収納部３０ａの空気と熱交換することにより放熱して冷却される。また、冷却回路６０を流通する作動流体は、低圧側熱交換部５４において放熱して冷却され、第２の冷却器３５ｂ及び第３の冷却器３５ｃにおいてそれぞれ第２の冷却器用送風機３６ｂ及び第３の冷却器用送風機３６ｃによって第２の収納部３０ｂ及び第３の収納部３０ｃの空気と熱交換することにより吸熱して加熱される。これにより、第２の収納部３０ｂ及び第３の収納部３０ｃは、冷却回路７０の第２の冷却器３５ｂ及び第３の冷却器３５ｃを流通する作動流体によって冷却される。また、冷却回路７０を流通する作動流体が吸収した熱は、熱源ユニット５０の冷媒回路５０ａを介して加熱回路６０の第１の加熱器３７ａから第１の収納部３０ａの空気中に放出され、第１の収納部３０ａが加熱される。このとき、第１の加熱器３７ａにおいて放出する熱量が第２の冷却器３５ｂ及び第３の冷却器３５ｃにおいて吸収する熱量よりも小さく、第２の収納部３０ｂ及び第３の収納部３０ｃを冷却するための放熱量が不足する場合には、加熱回路６０の二方弁６３を開放して作動流体を放熱器４３に流通させる。加熱回路６０を流通する作動流体は、図９に示すように、第１の加熱器３７ａにおいて第１の収納部３０ａの空気と熱交換するとともに、放熱器４３において機械室４０を流通する空気と熱交換して放熱する。これにより、第２の収納部３０ｂ及び第３の収納部３０ｃの冷却の際に不足する放熱量は、放熱器４３において機械室４０を流通する空気に放出することが可能となる。
【００２８】
また、熱源ユニット５０のメンテナンスや交換等の場合には、加熱回路６０の接続部６４と冷却回路７０の接続部７５をそれぞれ取外すことにより、図１０に示すように、機械室から熱源ユニット５０を取外すことが可能となる。
【００２９】
このように、本実施形態の物品収納庫によれば、第１の収納部３０ａ及び第２の収納部３０ｂに設けられた第１の加熱器３７ａ及び第２の加熱器３７ｂと、第１の収納部３０ａ、第２の収納部３０ｂ及び第３の収納部３０ｃに設けられた第１の冷却器３５ａ、第２の冷却器３５ｂ及び第３の冷却器３５ｃと、高圧側熱交換部５２において冷媒と熱交換した作動流体を第１の加熱器３７ａ及び第２の加熱器３７ｂに流通させる加熱回路６０と、低圧側熱交換部５４において冷媒と熱交換した作動流体を第１の冷却器３５ａ、第２の冷却器３５ｂ及び第３の冷却器３５ｃに流通させる冷却回路７０とを備えたので、第１の加熱器３７ａ及び第２の加熱器３７ｂの一方または両方において放熱することにより冷却された加熱回路６０の作動流体と冷媒回路５０ａの冷媒とを熱交換させることにより、高圧側熱交換部５２における交換熱量を増加させるとともに、第１の冷却器３５ａ、第２の冷却器３５ｂ及び第３の冷却器３５ｃの一部または全てにおいて吸熱することにより加熱された冷却回路７０の作動流体と冷媒回路５０ａの冷媒とを熱交換させることにより、低圧側熱交換部５４における交換熱量を増加させることができ、熱源ユニット５０の運転効率の向上が可能となる。また、冷媒回路５０ａを、第１の収納部３０ａ、第２の収納部３０ｂ及び第３の収納部３０ｃにそれぞれ設ける必要はなく、機械室４０内のみに構成されているので、冷媒回路５０ａの配管長を短くすることが可能となるとともに、冷媒回路５０ａ簡素化を図ることができ、製造コストの低減を図ることが可能となる。
【００３０】
機械室４０に設けられ、加熱回路６０を流通する作動流体を放熱させる放熱器４３を備えたので、第１の収納部３０ａ、第２の収納部３０ｂ及び第３の収納部３０ｃにおいて吸収した熱を機械室４０を流通する空気に放出することができ、第１の収納部３０ａ、第２の収納部３０ｂ及び第３の収納部３０ｃの一部を冷却し、その他を加熱する際に、加熱負荷よりも冷却負荷が大きい場合には、不足する放熱量を機械室４０を流通する空気中に放出することが可能となる。
【００３１】
機械室４０に設けられ、冷却回路７０を流通する作動流体を吸熱させる吸熱器４１を備えたので、第１の収納部３０ａ、第２の収納部３０ｂ及び第３の収納部３０ｃにおいて放出した熱を機械室４０を流通する空気から吸収することができ、第１の収納部３０ａ、第２の収納部３０ｂ及び第３の収納部３０ｃの一部を冷却し、その他を加熱する際に、加熱負荷よりも冷却負荷が小さい場合には、不足する吸熱量を機械室４０を流通する空気から吸収することが可能となる。
【００３２】
熱源ユニット５０を、加熱回路６０及び冷却回路７０に対して着脱自在に設けたので、熱源ユニット５０を機械室４０から取外してメンテナンス作業を行うことが可能となるとともに、熱源ユニット５０自体のを変更する場合の作業を容易に行うことが可能となる。
【００３３】
前記冷却用作動流体として、凝固温度が−２０℃以下のブラインを用いたので、低温の作動流体によって第１の収納部３０ａ、第２の収納部３０ｂ及び第３の収納部３０ｃをそれぞれ冷却することができ、冷却能力を向上させることが可能となる。
【００３４】
尚、前記実施形態では、物品収納庫として商品収納部を冷却及び加熱が可能な自動販売機を示したが、物品を冷却保存するための冷蔵庫及び冷蔵または冷凍のショーケース等の冷却装置や、物品を加熱保存するための加熱用のショーケース等の加熱装置に適用しても前記実施形態と同様に運転効率の向上を図ることが可能となる。
【図面の簡単な説明】
【００３５】
【図１】本発明の一実施形態を示す自動販売機の全体斜視図
【図２】自動販売機の正面断面図
【図３】自動販売機の側面断面図
【図４】冷媒回路、加熱回路及び冷却回路を示す自動販売機の概略構成図
【図５】冷媒及び作動流体の流路を示す自動販売機の概略構成図
【図６】冷媒及び作動流体の流路を示す自動販売機の概略構成図
【図７】冷媒及び作動流体の流路を示す自動販売機の概略構成図
【図８】冷媒及び作動流体の流路を示す自動販売機の概略構成図
【図９】冷媒及び作動流体の流路を示す自動販売機の概略構成図
【図１０】熱源ユニットを取外した状態を示す自動販売機の概略構成図
【符号の説明】
【００３６】
３０…商品収納部、３０ａ…第１の収納部、３０ｂ…第２の収納部、３０ｃ…第３の収納部、３５ａ…第１の冷却器、３５ｂ…第２の冷却器、３５ｃ…第３の冷却器、３７ａ…第１の加熱器、３７ｂ…第２の加熱器、４０…機械室、４１…吸熱器、４３…放熱器、５０…熱源ユニット、５０ａ…冷媒回路、５１…圧縮機、５２…高圧側熱交換部、５３…膨張弁、５４…低圧側熱交換部、６０…加熱回路、６４…接続部、７０…冷却回路、７５…接続部。
【図１】
2007232298.tif 000003
【図２】
2007232298.tif 000004
【図３】
2007232298.tif 000005
【図４】
2007232298.tif 000006
【図５】
2007232298.tif 000007
【図６】
2007232298.tif 000008
【図７】
2007232298.tif 000009
【図８】
2007232298.tif 000010
【図９】
2007232298.tif 000011
【図１０】
2007232298.tif 000012